(57)【特許請求の範囲】
【請求項１】
ベース部材（２１）に差し込まれて前記ベース部材（２１）にロックされ且つ前記ベース部材（２１）に対して差込み及び引抜き自在である差込み部材（１）に用いられるロック機構（３０）であって、
前記ベース部材（２１）に前記差込み部材（１）を差し込む時に係合することにより第１安定位置でロック状態を生じる係合手段（５、６）が設けられているとともに、
前記差込み部材（１）を引き抜く際に前記係合手段（５、６）を第２安定位置に移動させて前記ロック状態を解除するように操作自在な解除手段（７、８）が設けられ、
前記差込み部材（１）を引き抜いて新たに差し込んだ後に前記解除手段（７、８）が原位置に押し戻されることにより、前記第２安定位置が解消することを特徴とするロック機構（３０）。
【請求項２】
前記解除手段（７、８）が、前記差込み部材（１）の外側から該差込み部材（１）の差込み方向に操作可能であることを特徴とする請求項１に記載のロック機構（３０）。
【請求項３】
前記解除手段（７、８）が、前記係合手段（５、６）のロック状態を解消する棒状部材を有するとともに、
前記差込み部材（１）が、前記ベース部材（２１）内にあることを特徴とする請求項２に記載のロック機構（３０）。
【請求項４】
前記第２安定位置が、前記係合手段（５、６）のロック状態解消時に達成可能であり、
前記差込み部材（１）が、前記ベース部材（２１）から引抜き可能であることを特徴とする請求項１乃至請求項３のいずれか一項に記載のロック機構（３０）。
【請求項５】
前記解除手段（７、８）の棒状部材が、前記ベース部材（２１）への前記差込み部材（１）の差込み時に原位置に押し戻されて前記第２安定位置を解消可能であることを特徴とする請求項１乃至請求項４のいずれか１項に記載のロック機構（３０）。
【請求項６】
前記ベース部材（２１）のばね弾性部材（２６）によって補強される係止フック（５）が、該係止フック（５）に作用する係合力により前記ロック状態を引き起こす係合手段（５）として設けられていることを特徴とする請求項１に記載のロック機構（３０）。
【請求項７】
前記差込み部材（１）が、コネクタプラグ（１）で形成されているとともに、
前記ベース部材（２１）が、列状端子のベース端子（２１）で形成されていることを特徴とする請求項１乃至請求項６のいずれか１項に記載のロック機構（３０）。
【請求項８】
前記コネクタプラグ（１）が、少なくとも１つの側壁（３ｌ、３ｒ）と係止フック（５）が一体的に形成されている係止フランジ（６）とを有し、
前記解除手段（７、８）が、スライダ（７）と該スライダ（７）のヘッド部（８）とで構成され、
前記スライダ（７）が、前記係止フランジ（６）内に収容されるとともに、前記ヘッド部（８）と接続されており、
前記ヘッド部（８）が、前記解除手段（７、８）の解除時に、前記第２安定位置を達成可能な範囲で前記差込み部材（１）の差込み方向へ操作可能であることを特徴とする請求項７に記載のロック機構（３０）。
【請求項９】
前記ベース端子（２１）が、前記係止フランジ（６）を導入するベースフランジ（２３ｌ、２３ｒ）を少なくとも１つ備え、
前記係止フランジ（６）に形成されている係止フック（５）が、収容縦穴（２４ｌ、２４’ｌ；２４ｒ、２４’ｒ）の段部（２７）の下側で自由空間部分（２８）に係合し、
前記係止フランジ（６）に形成されている係止フック（５）の係合力を補強するばねアーム（２６）が、前記収容縦穴（２４ｌ、２４’ｌ；２４ｒ、２４’ｒ）内に設けられていることを特徴とする請求項８に記載のロック機構（３０）。
【請求項１０】
前記ベース端子（２１）の各側に取り付けられた前記ベースフランジ（２３ｌ；２３ｒ）が、それぞれ２つの収容縦穴（２４ｌ、２４’ｌ；２４ｒ、２４’ｒ）を有し、
前記コネクタプラグ（１）の係止フランジ（６）が、前記収容縦穴（２４’ｌ；２４ｒ）の１つに導入可能であることを特徴とする請求項９に記載のロック機構（３０）。
【請求項１１】
前記ベース端子（２１）が、ベースフランジ（２３ｌ；２３ｒ）とロック機構（３０ｌ；３０ｒ）とをそれぞれ左右に有し、
前記コネクタプラグ（１）が、適切に割り当てられた係止フランジ（６）を左右に有し、
該割り当てられた係止フランジ（６）のヘッド部（８ｌ、８ｒ）が、それぞれ隣接するコネクタプラグ（１）に対して色又はサイズの違いで容易に認識可能であるように形成されていることを特徴とする請求項７乃至請求項１０のいずれか１項に記載のロック機構（３０）。
【請求項１２】
前記ロック機構（３０ｌ；３０ｒ）が、前記割り当てられた係止フランジ（６）および該割り当てられた係止フランジ（６）のヘッド部（８ｌ、８ｒ）に被さっていることを特徴とする請求項７乃至請求項１１のいずれか１項に記載のロック機構（３０）。
【発明の詳細な説明】
【技術分野】
【０００１】
本発明は、差込み部材を差し込むと自動的にロック状態が生じる、差込み可能および抜取り可能な差込み部材のためのロック装置、所謂、ロック機構に関する。
【背景技術】
【０００２】
本発明の好ましい適用のために考慮の対象になる電気的列型端子（Ｒｅｉｈｅｎｋｌｅｍｍｅ）は、この電気的列型端子の定置部材であり、大抵の場合支持レール上に係止されるベース端子から構成されている。
コネクタプラグは、電気的列型端子の位置可変部材をなしている。
この部材は、ベース端子の対応する差込み箇所に差し込まれるか、または、ベース端子から引き抜かれることができる。
差し込まれた状態においてコネクタプラグのコンタクトエレメントとベース端子の対応するコンタクトエレメントとの間に確実な電気接点を得ることができる。
【０００３】
通常、１つのブロックをなす複数の板状プラグ端子部材から構成されるコネクタプラグが、ねじ収容部を備えてそれぞれ側方に取り付けられた固定カバーを有し、このねじ収容部によりベース端子の差込み箇所に差し込まれた状態のコネクタプラグを挿入されたねじで締め込むことが可能になる。
これらのねじは、コネクタプラグの固定カバーのように、１つのブロックをなす対応する板状ベース端子部材の側方を画定して、ベース端子の対応する差込み箇所をまとめて規定して、固定ベース端子のねじ山付きインサートに螺入されている。
【０００４】
コネクタプラグを対応する差込み箇所に属する固定ベース端子にねじでねじ込むために、また、そのようにしてロックされた状態を達成するために、ねじ回しなどの工具が必要である。
このロックされた状態を解除する場合、すなわち、コネクタプラグが引き抜かれる場合にもねじ回しなどの工具が再び必要である。
【０００５】
このような公知の電気的列型端子または対応する列型端子ブロックの実施例が、ＤＥ  １０  ２００６  ００３  ０６４  Ａ１から読み取れる。
本実施例で使用される固定ベース端子が、それぞれ２つのねじ山付きインサートを有しており、これにより固定カバーのねじ収容部が中心線に対してコネクタプラグの対向する両側で適切にずらすことができるため、相並んで配置された２つの差込み箇所に対して固定ベース端子が１つだけ必要であることにも言及している。
【０００６】
さらに、コネクタプラグを所属するベース端子に差し込むことができ、かつ差し込まれた状態でロックできる電気的列型端子が、ＤＥ  １００  ４５  ４９８  Ｃ２に記載されている。
この公知の列型端子では差し込まれた状態のロックを達成するために工具を用いる必要はない。
コネクタプラグが、ばね弾性的係止アームのような固定エレメントを備え、このばね弾性的係止アームが、ベース端子のハウジングの突出部の下を掴持する係止ノーズを有することで、コネクタプラグをベース端子に差し込むと自動的にロックされた状態に導かれるためである。
このロックされた状態を解除する場合、すなわち、コネクタプラグが引き抜かれるべき場合に、コネクタプラグが引き抜かれる間コネクタプラグから相当に突出するばね弾性的係止アームの部分を押圧することが必要である。
このばね弾性的係止アームの押圧は、コネクタプラグの引き抜き工程全体において継続的に行わなければならないので、極めて煩わしく感じられる。
【発明の概要】
【発明が解決しようとする課題】
【０００７】
本発明の課題は、差込み可能および引抜き可能な差込み部材のための取り扱いが簡単なロック装置、所謂、ロック機構を提供することである。
【課題を解決するための手段】
【０００８】
上記課題は、請求項１に記載のロック機構によって解決される。
【０００９】
本発明に係るロック機構は、差込み可能および引抜き可能な差込み部材のために設けられている。
差込み部材のロック状態は、差込み時に自動的に生じる。
このために、ロック機構は、ロック状態を引き起こす係合エレメントと称する係合手段を有している。
ロック機構の第１安定位置に対応した自動的に生じるロック状態は、差込み時に係合手段が係合することにより達成できる。
差込み部材を引き抜くために操作可能な解除手段が設けられており、この解除手段は操作時にロック状態を解消すると同時にロック機構を第２安定位置に導き、これにより差込み部材を引き抜いて新たに差し込んだ後に初めてロック機構の第２安定位置を解消するようになっている。
【００１０】
差込み部材は、特に、コネクタプラグを備えている。
コネクタプラグが差込み可能および引抜き可能なベース部材は、通常、定置的に設けられている。
ベース部材は、特に電気的列型端子のベース端子を備えている。
【００１１】
本出願の意味での安定位置とは、自然に解離しない位置と解する。
【００１２】
本発明に係るロック機構は、工具を用いず、すなわち、一度だけ指で押して解除手段を操作することによって、ロック解消位置を達成できる。
さらに、このロック解消位置は、ベース部材への差込み部材の差込み時に再び解消される。
ベース部材へ差込み部材を完全に差し入れた場合には、このロック状態が自発的または自動的に達成されることで、求められるロック状態が非常に容易に達成される。
【００１３】
解除手段は、差込み部材の外側から特に差込み部材の差込み方向に操作可能であることが好ましい。
例えば、ロック機構全体が差込み方向に対して平行に差込み部材の隣に配置され、解除手段のヘッド状操作部材が差込み部材から突出するならば、特に簡単に操作できるようになる。
【００１４】
差込み可能な差込み部材がベース部材に位置する場合、解除手段は、ロック機構の係合手段のロック状態を解消させるスライダなどの棒状部材を有する。
こうしてロック機構の第２安定位置も達成可能であり、ベース部材から差込み部材を引抜くことができる。
【００１５】
一旦差込み部材がベース部材から引き抜かれると、ロック機構の第２安定位置、すなわち、ロック解消位置がさしあたり引き続き保たれる。
それゆえ、解除手段の棒状部材は、ベース部材への差込み部材の差込み時にその原位置に押し戻され、これにより、ロック機構の第２安定位置が解消される。
こうして、ロック機構が係合手段の新たな係合のために「シャープ（ｓｃｈａｒｆ）」にされる。
【００１６】
ロック状態を引き起こす係合手段として係止フックが設けられ、この係止フックは係合を容易にならしめるプレストレスを有しており、ベース部材への差込み部材の差込み時に係止フック自体の後壁により緊張位置（Ｓｐａｎｎｌａｇｅ）にずらされるばね弾性部材がベース部材に設けられた場合に、係止フックの係合に有効な力がなお補強されている。
【００１７】
本発明に係るロック機構のさらなる展開形態では、差込み部材がコネクタプラグとして形成され、かつベース部材が列型端子のベース端子として形成されている。
【００１８】
コネクタプラグが、左側壁または右側壁の少なくとも１つと、ガイド縦穴または一体的に成形された係止フックを有する係止フランジとを有している。
また、スライダが、係止フランジに収容され、さらにヘッド部材と接続されて、特に、差込み部材の差込み方向への解除手段の解除時にロック解消位置または第２安定位置が達成可能な範囲でヘッド部材が操作可能となっている。
【００１９】
さらに、係止フランジを挿入できる左側ベースフランジまたは右側ベースフランジの少なくとも１つがベース端子に設けられており、これにより、係止フランジに形成された係止フックが収容縦穴の段部の下側で自由空間部分に係合し、それぞれの収容縦穴内にそれぞれの係止フックの係合力を補強するばねアームが設けられている。
【００２０】
また、取り付けられた左側ベースフランジまたは右側ベースフランジがそれぞれ２つの収容縦穴を有しており、その隣に配置されたコネクタプラグの係止フランジを収容縦穴の１つに挿入することができる。
これにより、ベース端子を隣り合わせて配置することができ、かつ１つのベースフランジが２つの収容縦穴を具有しているので、隣り合うベース端子間にベースフランジを１つだけ挿入すればよいという利点が生じる。
なお、ベース端子の収容縦穴は、互いに区切られる必要はなく、それぞれの係止フランジを収容するための各１つの空間領域に適合し、かつそれぞれにばねアームを有する空間領域が設けられていればよい。
【００２１】
特に、ベース端子が左側ベースフランジおよび右側ベースフランジそれぞれに、例えば、２つのロック機構を有し、かつ、付属のコネクタプラグも左右に適切に割り当てられた係止フランジを有する場合、そのヘッド部材が隣り合うコネクタプラグに対して色的に、かつサイズの違いに関してそれぞれ隣接するコネクタプラグに対して容易に認識可能に形成されるならば、なお好ましい。
【００２２】
それぞれのロック機構が、割り当てられた係止フランジ、特に、そのヘッド部材に被さることが好ましい。
こうすると一義的な割り当てが達成される。
【００２３】
以下、本発明を実施例に基づいて説明するが、差込み部材とは電気的列型端子のコネクタプラグであり、ベース部材とは電気的列型端子のベース端子である。
【図面の簡単な説明】
【００２４】
【図１Ａ】上からコネクタプラグを見た図が示され、図１Ｂで示される図部分に関する付属の切断線Ａ−Ａを有するベース端子がその下に位置している図。
【図１Ｂ】図１Ａから見て取れる切断線Ａ−Ａに沿うコネクタプラグおよびベース端子の断面図。
【図１Ｃ】図１Ａに係るコネクタプラグおよびベース端子の斜視図。
【図２】コネクタプラグが部分的にベース端子に差し込まれていることが示されている図。
【図３】コネクタプラグがさらに部分的にベース端子に差し込まれていることが示されている図。
【図４】コネクタプラグがかなりの程度ベース端子に差し込まれていることが示されている図。
【図５】コネクタプラグがかなりの程度ベース端子に差し込まれているが、係止フックの領域に変化が生じていることが示されている図。
【図６】コネクタプラグがかなりの程度ベース端子に差し込まれているが、係止フックの領域にさらなる変化が生じていることが示されている図。
【図７】コネクタプラグがかなりの程度ベース端子に差し込まれているが、係止フックの領域にさらになお変化が生じていることが示されている図。
【図８】コネクタプラグがベース端子に完全かつ係止して差し込まれていることが示されている図。
【図９】コネクタプラグが係止はすでに解かれているが、まだ完全にベース端子に差し込まれていることが示されている図。
【図１０】それぞれのコネクタプラグに対する割り当てを容易にするためのスライダのヘッド部材の好ましい形態を示している平面図。
【発明を実施するための形態】
【００２５】
以下、まず図１Ａ乃至図１Ｃを参照して、本発明の実施形態における構成部材を実施例に従って説明する。
【００２６】
コネクタプラグ１は、３つの板状プラグ端子部材２ａと２ｂと２ｃとを備え、これらは互いに係止して１つのプラグ端子ブロック２ａ〜ｃをなしている。
また、プラグ端子ブロック２ａ〜ｃの左右に左側壁３ｌおよび右側壁３ｒが設置されており、これらもプラグ端子ブロックのプラグ端子部材２ａと２ｂと２ｃとに係止されている。
【００２７】
これに加えて、左側壁３ｌには、図１Ｂおよび図２〜図９のａ）に図示されているとおり、以下にさらに詳しく説明されるベース端子２１とのコネクタプラグ１の係合位置をロックするための係合手段が取り付けられている。
右側壁３ｒにも、このような係合手段を取り付けることができる。
【００２８】
図１Ｂと図２〜図９のａ）に示されているとおり、ロック機構３０の係合手段のこの機能を引き受ける係止フック５が取り付けられている。
係止フック５は、側方領域で開いた状態の係止フランジ６と全体として単一ピースに接続され、この係止フランジ６もまた左側壁３ｌまたは右側壁３ｒの少なくとも１つと接続または係止することができる。
【００２９】
係止フランジ６には、棒状のエレメント、すなわち、スライダ７が案内されている。
【００３０】
スライダ７の側方領域７ａは、比較的幅狭であって、その全長にわたって一側方領域で係止フランジ６の開状態の領域から突出する。
スライダのヘッド部８は、図３乃至図８に示されるように、最大の程度で上部の縦穴入口開口部９から延出する。
スライダのヘッド部８は、残りのスライダ７よりも大きい断面を有しているので、同時に残りのスライダ７に対するスライダのヘッド部８の断面突出部により係止フランジ６へのスライダ７の進入深さが制限される。
【００３１】
スライダの先端１１が、下部の縦穴出口開口部１０から突出し、図２乃至図９のそれぞれの断面図においてさらに説明される機能に対応して適切な形状を有している。
【００３２】
図１Ｂの断面図からわかるように、係止フック５は、スライダ７およびスライダの先端１１から最も遠い下側に配置されており、係止フック５をその弾性プレストレスに抗してプラグ端子ブロック２ａ〜ｃの対応する左側面３ｌなどの側壁から押しのける。
【００３３】
ベース端子２１は、互いに係止されて１つのベース端子ブロック２２ａ〜ｃをなす３つの板状ベース端子部材２２ａと２２ｂと２２ｃとを備えている。
左側ベースフランジ２３ｌおよび右側ベースフランジ２３ｒが、このベース端子ブロック２２ａ〜ｃの左右に取り付けられている。
【００３４】
左側ベースフランジ２３ｌは、横断面開口部を有する左側収容縦穴（１）２４ｌ、左側収容縦穴（２）２４’ｌを、右側ベースフランジ２３ｒは、横断面開口部を有する右側収容縦穴（１）２４ｒ、右側収容縦穴（２）２４’ｒをそれぞれ具有し、横断面開口部は、外側横断面と接続された係止フック５と係止フランジ６から側方に突出するスライダの側方領域７ａとを含む係止フランジ６の外側横断面よりも大きい。
【００３５】
左側ベースフランジ２３ｌの左側収容縦穴（１）２４ｌおよび左側収容縦穴（２）２４’ｌは、互いに分離されなくても構わない。
すなわち、図１Ｃにも示されているように、個々の収容縦穴に仮想的に割り当てられ得る領域にすぎない。
【００３６】
図８に示されているとおり、完全に差し込まれた状態のコネクタプラグ１のプラグ端子部材２ａとプラグ端子部材２ｂとプラグ端子部材２ｃとの間、および、ベース端子２１の対応するベース端子部材２２ａとベース端子部材２２ｂとベース端子部材２２ｃとの間の図示されないコンタクト接続を除いて、すなわち、係止フランジ６は、外側が図１Ｂおよび図２乃至図９のそれぞれの断面図にはっきりと左側収容縦穴（１）２４ｌで示されるように、対応する収容縦穴２４に完全に差し込まれている。
【００３７】
しかし、コネクタプラグ１が右側壁３ｒにも係止フランジ６を有する場合、これは、仮想対称線を中心にずらして設けられている。
すなわち、１つのコネクタプラグ１には合計４つの利用可能な収容縦穴または縦穴領域のうち左側収容縦穴（１）２４ｌおよび右側収容縦穴（２）２４’ｒだけが必要とされている。
【００３８】
したがって、係止フランジ６とこれに接続された係止フック５とを収容するための左側収容縦穴（２）２４’ｌおよび右側収容縦穴（１）２４ｒは、図示されるコネクタプラグ１の左右にさらに列に加わり得るコネクタプラグのためにも利用できる。
また、さらなるベースフランジを設けることを必要とせずに、図示されるベース端子２１の左右にさらなるベース端子を取り付けることができる。
【００３９】
次に、機能の仕方および機能上重要な部材を理解するために図１〜図９の簡単な説明を補足する。
【００４０】
図１において、コネクタプラグ１はベース端子２１にまだ差し込まれていない。
コネクタプラグ１を最初にベース端子２１に差し込むことが可能であり、特に、コネクタプラグ１と接続された電力消費機器にサービス作業が実行され、これが終了してから、例えば、配電盤格納箱内でベース端子２１のコンタクトと接続された制御器によって電力消費機器を再び始動させる。
【００４１】
係止フック５が、図１Ｂに示されているとおり、まだ押し込まれた状態にあるスライダ７によってその弾性プレストレスに抗してさらに押し出されるか、または開放される。
ロック機構３０は、ベース端子２１からのコネクタプラグ１の最後の引抜きによるロック解消位置をとっている。
【００４２】
コネクタプラグ１がベース端子２１に部分的に差し込まれた図２では、スライダ７が、その先端領域で、左側ベースフランジ２３ｌの左側収容縦穴（１）２４ｌの開口領域のエッジに突き当たっている。
【００４３】
図３に示されているとおり、スライダ７が上方に押され、図３ではコネクタプラグの左側のスライダのヘッド部８ｌおよびコネクタプラグの右側のスライダのヘッド部８ｒであるスライダのヘッド部８がコネクタプラグ１の上部分から突出している。
係止フック５は、先に説明したように弾性プレストレスを有するので、スライダ７の先端領域は左側収容縦穴（１）２４ｌの開口領域のエッジに抗して確実に押される。
【００４４】
図４に示されているとおり、スライダ７が、コネクタプラグ１に対して相対位置を維持し、係止フック５が左側収容縦穴（１）２４ｌ内にさらに入り込んでいる。
【００４５】
図５に図示されているとおり、スライダ７と係止フック５とが、左側収容縦穴（１）２４ｌ内にさらに入り込んでいる。
特に図５ａ）から、係止フック５の先端が、隔壁のように左側ベースフランジ２３ｌの収容縦穴の下部分に形成されたばねアーム２６に突き当っている。
【００４６】
係止フック５の先端が、外方に、すなわちプラグ端子部材およびベース端子ブロック２２ａ〜ｃから押しやる段部２７が収容縦穴２４内に形成されているので、ばねアーム２６は、その上領域が先鋭に形成され、図６ａ）に示されるように外方に押圧される。
【００４７】
図７に図示されているとおり、差込み工程において係止フック５とばねアーム２６とがさらに外方に押しやられている。
【００４８】
次に図８に図示されているとおり、係止フック５が、ばねアーム２６によりかけられる力によって支援され、左側収容縦穴（１）２４ｌの上述の段部２７の下側で最終的に左側収容縦穴（１）２４ｌおよびベース端子２１の自由空間部分２８に係止している。
ここでコネクタプラグ１は、確かな電気的接触が形成されるように差し込まれている。
さらに、コネクタプラグ１は、ベース端子２１において機械的にも完全にロックされているが、このロック状態はコネクタプラグ１の差込み時に自動的に生じる。
【００４９】
このために工具は必要とされない。
こうして第１安定位置が達成される。
図１および図８に図示されているとおり、段部２７の下側の係止フック５、係止フランジ６、スライダ７、左側ベースフランジ２３ｌの左側収容縦穴（１）２４ｌ、ばねアーム２６および自由空間部分２８により全体としてロック機構３０が形成され、第１安定位置が達成されている。
【００５０】
図９に図示されているとおり、その第１安定位置を出発点として、コネクタプラグ１をベース端子２１から引き抜くことができる。
このため、第１安定位置を解消することが必要である。
本発明によると、ロック機構３０をロック解消位置または第２安定位置に運ぶことができる。
すなわち、実施例に関して、スライダのヘッド部８がその下限位置に達するまで押圧されている。
したがって、スライダの先端１１がばねアーム２６の力と係止フック５の弾性プレストレスとに抗して係止フック５を外方に押し、係止フック５のフック部が係合領域の自由空間部分２８から引き抜かれることにより、係止フック５を第１安定位置から解消することができる。
【００５１】
係止フック５およびその係止フランジ６に案内されるスライダ７の形状によってロック解消位置を安定的にとり、すなわち、ロック機構３０の第２安定位置をとることを達成することができる。
図１に示されるように、コネクタプラグ１とベース端子２１との割り当てが達成されるまでボタンなどを絶えず操作しなくても、コネクタプラグ１をベース端子２１から引き抜くことができる。
【００５２】
コネクタプラグ１が、２つのロック機構、すなわち、コネクタプラグの左側ロック機構３０ｌおよびコネクタプラグの右側ロック機構３０ｒを左右に備えている場合、このようなコネクタプラグの右側ロック機構３０ｒは対応するスライダ７のヘッド部８を短時間押しただけでそのロック解消位置を安定的にとるので、ボタンなどを絶えず押さなくてもコネクタプラグ１の引抜きの利点が引き続き保持されている。
【００５３】
この場合、図１０に示されるように、コネクタプラグの左側ロック機構３０ｌまたはコネクタプラグの右側ロック機構３０ｒに割り当てられたコネクタプラグの左側のスライダのヘッド部８ｌまたはコネクタプラグの右側のスライダのヘッド部８ｒが左右に隣接するコネクタプラグに対して寸法的および色的に強調され得るので、操作者は、第２列の複数のコネクタプラグが平行に加わり得る一列に並んだ複数のコネクタプラグの特定のコネクタプラグにコネクタプラグの左側のスライダのヘッド部８ｌおよびコネクタプラグの左側のスライダのヘッド部８ｒを難なく割り当てることができる。
特に、割り当てられるコネクタプラグの左側のスライダのヘッド部８ｌまたはコネクタプラグの右側のスライダのヘッド部８ｒがロック機構またはプラグに被さることができるので、一義的に割り当てることができる。
【００５４】
先に記載したコネクタプラグの左側のスライダのヘッド部の拡大された取付け空間を取得するために、コネクタプラグの下側にあるか、またはそこに設けられたベースフランジの隣接するベース端子部材に向いて位置する壁の側を肉厚にすることが好ましい。
【００５５】
以下の参照符号一覧にも挙げられる上記記載における特定の部材は、例えば、割り当てられたベース端子上に左右に複数のプラグが列状に並び、または配列方向に対して横方向に相並んで設けられるなど多様に実施される限り、これらは明細書および図面の図において明瞭化のために一つの部材としてしか記載されていないが、このことが、この多様に配列可能で、多様な使用のために個々の部材が付加文字（ｒまたはｌなど）またはアポストロフィ記号を有さない構造部材に関して、限定的および不完全な開示であると解されるものではない。
【符号の説明】
【００５６】
１                      コネクタプラグ
２ａ、２ｂ、２ｃ        プラグ端子部材
２ａ〜ｃ                プラグ端子ブロック
３ｌ                    左側壁
３ｒ                    右側壁
５                      係止フック
６                      ガイド縦穴（係止フランジ）
７                      スライダ
７ａ                    スライダの側方領域（横断面を拡大した）
８                      スライダのヘッド部
８ｌ                    コネクタプラグの左側のスライダのヘッド部
８ｒ                    コネクタプラグの右側のスライダのヘッド部
１０                    縦穴出口開口部（係止フランジのストッパ）
１１                    スライダの先端
２１                    ベース端子
２２ａ、２２ｂ、２２ｃ  ベース端子部材
２２ａ〜ｃ              ベース端子ブロック
２３ｌ                  左側ベースフランジ
２３ｒ                  右側ベースフランジ
２４ｌ                  左側収容縦穴（１）
２４’ｌ                左側収容縦穴（２）
２４ｒ                  右側収容縦穴（１）
２４’ｒ                右側収容縦穴（２）
２６                    ばねアーム
２７                    段部
２８                    自由空間部分
３０                    ロック機構
３０ｌ                  コネクタプラグの左側ロック機構
３０ｒ                  コネクタプラグの右側ロック機構
【図１Ａ】
0005128639.tif 000002
【図１Ｂ】
0005128639.tif 000003
【図１Ｃ】
0005128639.tif 000004
【図２】
0005128639.tif 000005
【図３】
0005128639.tif 000006
【図４】
0005128639.tif 000007
【図５】
0005128639.tif 000008
【図６】
0005128639.tif 000009
【図７】
0005128639.tif 000010
【図８】
0005128639.tif 000011
【図９】
0005128639.tif 000012
【図１０】
0005128639.tif 000013